(57)【要約】【課題】本情報処理装置が対象物に貼り付けられていない場合は、本情報処理装置を示す識別子とともに貼り付けられていないことを示す情報を送信するようにした情報処理装置を提供する。【解決手段】情報処理装置の検知手段は、本情報処理装置が対象物に貼り付けられているか否かを検知し、送信手段は、本情報処理装置が貼り付けられていない場合は、該本情報処理装置を示す識別子とともに貼り付けられていないことを示す情報を送信する。【選択図】図１
2017111594.tif 000002
【特許請求の範囲】
【請求項１】
本情報処理装置が対象物に貼り付けられているか否かを検知する検知手段と、
本情報処理装置が貼り付けられていない場合は、該本情報処理装置を示す識別子とともに貼り付けられていないことを示す情報を送信する送信手段
を有する情報処理装置。
【請求項２】
前記送信手段は、本情報処理装置が貼り付けられている場合は、本情報処理装置を示す識別子とともに貼り付けられていることを示す情報を送信する、
請求項１に記載の情報処理装置。
【請求項３】
初期化指示を受信する受信手段と、
前記初期化指示を受け付けた場合は、本情報処理装置内に記憶されている情報を初期化する初期化手段
をさらに有する請求項２に記載の情報処理装置。
【請求項４】
請求項２に記載の情報処理装置である貼り付け用情報処理装置から貼り付けられていることを示す情報を受け付けた場合は、該貼り付け用情報処理装置を示す識別子に対応する期限情報を抽出する抽出手段と、
前記期限情報が示す期限が既に過ぎている場合は、警告を出力する出力手段
を有する情報処理装置。
【請求項５】
前記抽出手段は、１つの対象物に対して、複数の請求項２に記載の貼り付け用情報処理装置から貼り付けられていることを示す情報を受け付けた場合は、該貼り付け用情報処理装置を示す識別子に対応する作成日時情報を抽出し、
他方の作成日時よりも古い作成日時情報である貼り付け用情報処理装置に初期化指示を送信する送信手段
をさらに有する請求項４に記載の情報処理装置。
【請求項６】
請求項２に記載の貼り付け用情報処理装置から貼り付けられていることを示す情報を受け付けた場合であって、該貼り付け用情報処理装置が過去に剥離されたことがあるときは、該貼り付け用情報処理装置に初期化指示を送信する送信手段
をさらに有する請求項４に記載の情報処理装置。
【請求項７】
請求項１に記載の情報処理装置である貼り付け用情報処理装置から該貼り付け用情報処理装置を一意に識別するための情報を取得する取得手段と、
前記貼り付け用情報処理装置の表面に前記情報の内容を示す印刷を行う印刷手段
を有する画像処理装置。
【請求項８】
コンピュータを、
本コンピュータを含む情報処理装置が対象物に貼り付けられているか否かを検知する検知手段と、
本情報処理装置が貼り付けられていない場合は、該本情報処理装置を示す識別子とともに貼り付けられていないことを示す情報を送信する送信手段
として機能させるための情報処理プログラム。
【請求項９】
コンピュータを、
請求項２に記載の情報処理装置である貼り付け用情報処理装置から貼り付けられていることを示す情報を受け付けた場合は、該貼り付け用情報処理装置を示す識別子に対応する期限情報を抽出する抽出手段と、
前記期限情報が示す期限が既に過ぎている場合は、警告を出力する出力手段
として機能させるための情報処理プログラム。
【請求項１０】
コンピュータを、
請求項１に記載の情報処理装置である貼り付け用情報処理装置から該貼り付け用情報処理装置を一意に識別するための情報を取得する取得手段と、
前記貼り付け用情報処理装置の表面に前記情報の内容を示す印刷を行う印刷手段
として機能させるための画像処理プログラム。
【発明の詳細な説明】
【技術分野】
【０００１】
本発明は、情報処理装置、画像処理装置、情報処理プログラム及び画像処理プログラムに関する。
【背景技術】
【０００２】
特許文献１には、宝石、ブランド品などの高価な貴重品や記念となる品（以下単に貴重品と記述する）に埋め込み又は封止して実装される金属面用の磁界形のＲＦＩＤ又はＩＣタグと、前記タグに記録された前記貴重品にまつわる文字情報、画像情報、音声情報又はアドレス情報を読み取る読取手段と、該読取手段で読み取った前記文字情報、画像情報、音声情報を再生、表示する再生表示手段と、該文字情報、画像情報、音声情報が予め記憶され前記アドレス情報でアクセスされる記憶手段と、前記読取手段で読み取った前記アドレス情報を通信回線を介して送信する送信手段とを備えた端末と、前記通信回線を介して前記端末と接続され、前記送信手段で送信された前記アドレス情報を受信してこの情報をもとに予め記憶している前記文字情報、画像情報、音声情報を前記端末に返送するサーバと、を備えて構成され、前記端末は、前記貴重品にまつわる文字情報、画像情報、音声情報の容量が少ない場合は前記再生表示手段で読み出して直接再生表示し、該文字情報、画像情報、音声情報の容量が大きい場合は前記アドレス情報に基づき前記記憶手段又は前記サーバにアクセスしてこれらに記憶された前記文字情報、画像情報、音声情報を読み出して再生表示させることを特徴とする貴重品の関連情報提供システムについて開示されている。
【０００３】
特許文献２には、ラベル基材上に少なくともＯＶＤ層、アンテナ及び当該アンテナと電気的に接続されるＩＣチップが配置され、さらに被着体に貼り付けるための第１の接着層を配置してなり、外部装置と非接触でデータの送受信を行うＲＦＩＤラベルにおいて、前記ラベル基材と前記ＯＶＤ層との間に当該ラベル基材から剥離し易い材料の剥離層又は第２の接着層と溶媒反応性導電層とを施すとともに、前記ＯＶＤ層としては導電性を示さないが光学的な効果を発揮する機能を有し、前記第１の接着層を通して貼り付けられた前記ＲＦＩＤラベルを前記被着体から剥がす際、前記ラベル基材から前記剥離層又は第２の接着層が剥れて前記ＯＶＤ層を破損させ、かつ前記アンテナを断線させ、また前記ＲＦＩＤラベルを剥がす際に溶媒が作用されているときに前記溶媒反応性導電層が導電性を示すことで通信機能を失わせることを特徴とするＲＦＩＤラベルについて開示されている。
【先行技術文献】
【特許文献】
【０００４】
【特許文献１】特許第５２３２９３４号公報
【特許文献２】特許第５５６９３４７号公報
【発明の概要】
【発明が解決しようとする課題】
【０００５】
貴重品の盗難や紛失を防止するために、特許文献１に記載の技術では、タグ内にその貴重品にまつわる情報を記憶し、それらの情報を表示、通知することで所在を管理することが行われている。また、特許文献２に記載の技術では、被着体からラベルを剥がすと通信機能を失わせることが行われている。
しかし、対象物に貼り付けされるべきタグが実際に貼り付けされているか否かを管理することができない。
そこで、本発明は、本情報処理装置が対象物に貼り付けられていない場合は、本情報処理装置を示す識別子とともに貼り付けられていないことを示す情報を送信するようにした情報処理装置、画像処理装置、情報処理プログラム及び画像処理プログラムを提供することを目的としている。
【課題を解決するための手段】
【０００６】
かかる目的を達成するための本発明の要旨とするところは、次の各項の発明に存する。
請求項１の発明は、本情報処理装置が対象物に貼り付けられているか否かを検知する検知手段と、本情報処理装置が貼り付けられていない場合は、該本情報処理装置を示す識別子とともに貼り付けられていないことを示す情報を送信する送信手段を有する情報処理装置である。
【０００７】
請求項２の発明は、前記送信手段は、本情報処理装置が貼り付けられている場合は、本情報処理装置を示す識別子とともに貼り付けられていることを示す情報を送信する、請求項１に記載の情報処理装置である。
【０００８】
請求項３の発明は、初期化指示を受信する受信手段と、前記初期化指示を受け付けた場合は、本情報処理装置内に記憶されている情報を初期化する初期化手段をさらに有する請求項２に記載の情報処理装置である。
【０００９】
請求項４の発明は、請求項２に記載の情報処理装置である貼り付け用情報処理装置から貼り付けられていることを示す情報を受け付けた場合は、該貼り付け用情報処理装置を示す識別子に対応する期限情報を抽出する抽出手段と、前記期限情報が示す期限が既に過ぎている場合は、警告を出力する出力手段を有する情報処理装置である。
【００１０】
請求項５の発明は、前記抽出手段は、１つの対象物に対して、複数の請求項２に記載の貼り付け用情報処理装置から貼り付けられていることを示す情報を受け付けた場合は、該貼り付け用情報処理装置を示す識別子に対応する作成日時情報を抽出し、他方の作成日時よりも古い作成日時情報である貼り付け用情報処理装置に初期化指示を送信する送信手段をさらに有する請求項４に記載の情報処理装置である。
【００１１】
請求項６の発明は、請求項２に記載の貼り付け用情報処理装置から貼り付けられていることを示す情報を受け付けた場合であって、該貼り付け用情報処理装置が過去に剥離されたことがあるときは、該貼り付け用情報処理装置に初期化指示を送信する送信手段をさらに有する請求項４に記載の情報処理装置である。
【００１２】
請求項７の発明は、請求項１に記載の情報処理装置である貼り付け用情報処理装置から該貼り付け用情報処理装置を一意に識別するための情報を取得する取得手段と、前記貼り付け用情報処理装置の表面に前記情報の内容を示す印刷を行う印刷手段を有する画像処理装置である。
【００１３】
請求項８の発明は、コンピュータを、本コンピュータを含む情報処理装置が対象物に貼り付けられているか否かを検知する検知手段と、本情報処理装置が貼り付けられていない場合は、該本情報処理装置を示す識別子とともに貼り付けられていないことを示す情報を送信する送信手段として機能させるための情報処理プログラムである。
【００１４】
請求項９の発明は、コンピュータを、請求項２に記載の情報処理装置である貼り付け用情報処理装置から貼り付けられていることを示す情報を受け付けた場合は、該貼り付け用情報処理装置を示す識別子に対応する期限情報を抽出する抽出手段と、前記期限情報が示す期限が既に過ぎている場合は、警告を出力する出力手段として機能させるための情報処理プログラムである。
【００１５】
請求項１０の発明は、コンピュータを、請求項１に記載の情報処理装置である貼り付け用情報処理装置から該貼り付け用情報処理装置を一意に識別するための情報を取得する取得手段と、前記貼り付け用情報処理装置の表面に前記情報の内容を示す印刷を行う印刷手段として機能させるための画像処理プログラムである。
【発明の効果】
【００１６】
請求項１の情報処理装置によれば、本情報処理装置が対象物に貼り付けられていない場合は、本情報処理装置を示す識別子とともに貼り付けられていないことを示す情報を送信することができる。
【００１７】
請求項２の情報処理装置によれば、本情報処理装置が対象物に貼り付けられている場合は、本情報処理装置を示す識別子とともに貼り付けられていることを示す情報を送信することができる。
【００１８】
請求項３の情報処理装置によれば、初期化指示を受け付けられた場合は、本情報処理装置内に記憶されている情報を初期化することができる。
【００１９】
請求項４の情報処理装置によれば、貼り付け用情報処理装置の期限が既に過ぎている場合は、警告を出力することができる。
【００２０】
請求項５の情報処理装置によれば、複数の貼り付け用情報処理装置が貼り付けられている場合、古い貼り付け用情報処理装置に初期化指示を送信することができる。
【００２１】
請求項６の情報処理装置によれば、貼り付け用情報処理装置が対象物に貼り付けられている場合であっても、その貼り付け用情報処理装置が過去に剥離されたことがあるときは、その貼り付け用情報処理装置に初期化指示を送信することができる。
【００２２】
請求項７の画像処理装置によれば、貼り付け用情報処理装置の表面に識別情報の印刷を行うことができる。
【００２３】
請求項８の情報処理プログラムによれば、本情報処理装置が対象物に貼り付けられていない場合は、本情報処理装置を示す識別子とともに貼り付けられていないことを示す情報を送信することができる。
【００２４】
請求項９の情報処理プログラムによれば、貼り付け用情報処理装置の期限が既に過ぎている場合は、警告を出力することができる。
【００２５】
請求項１０の画像処理プログラムによれば、貼り付け用情報処理装置の表面に識別情報の印刷を行うことができる。
【図面の簡単な説明】
【００２６】
【図１】本実施の形態の構成例についての概念的なモジュール構成図である。
【図２】本実施の形態の構成例についての概念的なモジュール構成図である。
【図３】本実施の形態を利用したシステム構成例を示す説明図である。
【図４】本実施の形態による処理例を示すフローチャートである。
【図５】本実施の形態による処理例を示すフローチャートである。
【図６】管理ＩＤテーブル、通知情報のデータ構造例を示す説明図である。
【図７】タグ管理テーブルのデータ構造例を示す説明図である。
【図８】本実施の形態による処理例を示す説明図である。
【図９】本実施の形態による処理例を示すフローチャートである。
【図１０】本実施の形態による処理例を示すフローチャートである。
【図１１】本実施の形態による処理例を示す説明図である。
【図１２】本実施の形態による処理例を示すフローチャートである。
【図１３】本実施の形態による処理例を示す説明図である。
【図１４】タグ型情報処理装置の印刷例を示す説明図である。
【図１５】本実施の形態を実現するコンピュータのハードウェア構成例を示すブロック図である。
【発明を実施するための形態】
【００２７】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２８】
本実施の形態であるタグ型情報処理装置１００は、対象物に貼り付け可能なタグ型の情報処理装置であって、図１の例に示すように、貼り付け状態検知モジュール１１０、記憶モジュール１２０、記憶制御モジュール１３０、制御モジュール１４０、通信モジュール１５０を有している。
固定資産、設備、備品、商品等の対象物を管理するために、その対象物にタグ（ラベル等ともいわれる）を貼り付けすることが行われている。このタグは、一般的には粘着面（シール）がある紙又は金属（物品管理銘板等）である。そして、そのタグには、一般的に対象物の名称（品名等）、管理番号、購入日、期限、管理部門等が印刷されている。
一方、特許文献２に記載の技術として、ラベル基材上に少なくともＯＶＤ（（Ｏｐｔｉｃａｌｌｙ  Ｖａｒｉａｂｌｅ  Ｄｅｖｉｃｅ：光学的可変デバイスの略））層、アンテナ及び当該アンテナと電気的に接続されるＩＣチップが配置され、さらに被着体に貼り付けるための第１の接着層を配置してなり、外部装置と非接触でデータの送受信を行うＲＦＩＤ（Ｒａｄｉｏ  Ｆｒｅｑｕｅｎｃｙ  ＩＤｅｎｔｉｆｉｃａｔｉｏｎ）ラベル（タグ）において、前記ラベル基材と前記ＯＶＤ層との間に当該ラベル基材から剥離し易い材料の剥離層又は第２の接着層と溶媒反応性導電層とを施すとともに、前記ＯＶＤ層としては導電性を示さないが光学的な効果を発揮する機能を有し、前記第１の接着層を通して貼り付けられた前記ＲＦＩＤラベルを前記被着体から剥がす際、前記ラベル基材から前記剥離層又は第２の接着層が剥れて前記ＯＶＤ層を破損させ、かつ前記アンテナを断線させ、また前記ＲＦＩＤラベルを剥がす際に溶媒が作用されているときに前記溶媒反応性導電層が導電性を示すことで通信機能を失わせることを特徴とするＲＦＩＤラベル（タグ）がある。このＲＦＩＤラベルを被着体から剥がす際、剥離層や第２の接着層がラベル基材から剥れてＯＶＤ層を破損させる結果、ＲＦＩＤラベルが破壊され、再利用ができなくなり、偽造防止となる。また、剥離層やＯＶＤ層の破損により、アンテナが断線することから、ＲＦＩＤラベルの情報を外部に取り出すことができなくすることができる。また、前記剥離層が前記ラベル基材の面部にパターン状に印刷され、さらに前記溶媒反応性導電層が前記剥離層と同じパターン状に印刷されることを特徴とするＲＦＩＤラベルとしてもよい。また、前記溶媒反応性導電層が前記ラベル基材と前記剥離層との間に設けたことを特徴とするＲＦＩＤラベルとしてもよい。また、前記溶媒反応性導電層は、ナノサイズの金属ナノ粒子あるいは金属塩を含むことを特徴とするＲＦＩＤラベルとしてもよい。また、前記溶媒反応性導電層は、溶媒の作用を受けたときに有色に変化することを特徴とするＲＦＩＤラベルとしてもよい。また、前記アンテナは、導電性のインクを噴射させてアンテナ配線パターンを形成することを特徴とするＲＦＩＤラベルとしてもよい。また、前記ＯＶＤ層による光学的な効果は可視光領域で発現することを特徴とするＲＦＩＤラベルとしてもよい。
そして、ＩＣチップにはコイル状のアンテナが繋がっており、ＩＤ情報の読み込みや汎用記憶領域の情報の読み込み・書き込みは、専用のデータ読み書き装置（以下、ＲＷ（Ｒｅａｄｅｒ  Ｗｒｉｔｅｒ）装置と呼ぶ）からの電磁界や電波などを用いた近距離の無線通信によってアンテナに誘導起電力を生じさせる。そして、ＩＣチップを駆動し、ＲＷ装置から送られてくるデータを受信し、さらには自己の記憶領域に格納されている情報を無線にて送信する。したがって、以上のようなＲＦＩＤタグを商品に取り付け、ＲＷ装置にてＩＤチップ内のＩＤ情報を読み込んでコンピュータシステムに伝送するようにすれば、商品の入出庫管理、在庫管理、商品の貸し出し管理等に利用できる。
タグ型情報処理装置１００として、例えば、このようなＲＦＩＤタグを利用すればよい。
【００２９】
貼り付け状態検知モジュール１１０は、制御モジュール１４０と接続されている。貼り付け状態検知モジュール１１０は、タグ型情報処理装置１００が設備３２０に貼り付けされているか否かを検知する。例えば、前述のＲＦＩＤタグを利用してもよい。具体的には、シートから剥がす際に溶媒が作用するようにしてもよい。また、例えば、タグ型情報処理装置１００の粘着面（一般的には、裏面）側のシートが剥離された状態であるか否かを検知してもよい。例えば、シートの一部又は全面が導電性であり、シートを剥離することによって、本体の回路が切断された状態になることを検知してもよい。逆に、シートの一部又は全面が非導電性であり、シートを剥離し、対象物の導電性の部分に貼り付けすることによって、本体の回路が導通状態になることを検知してもよい。
また、貼り付けされているか否かだけでなく、（１）貼り付け前の状態、（２）貼り付け状態、（３）貼り付けされた後に剥がされた状態の３つの状態を区別して検知するようにしてもよい。（１）は、タグ型情報処理装置１００が未使用状態（シールが１度も剥離されていない状態）であることを示し、（２）は、対象物に貼り付けられている状態であることを示し、（３）は、（２）の状態になった後に、対象物から剥がされた状態（対象物に再度貼り付けられた状態、他の対象物に貼り付けられた状態等を含む）であることを示している。例えば、（３）の検知として、（２）の状態になったときに、その旨を示す情報を記憶し、その情報が記憶されている状態で、（１）又は（２）を検知した場合は（３）であると判断するようにしてもよい。また、例えば、前述のＲＦＩＤタグを利用してもよい。具体的には、対象物から剥がす際に溶媒が作用するようにしてもよい。
【００３０】
記憶モジュール１２０は、記憶制御モジュール１３０と接続されている。記憶モジュール１２０は、少なくともタグ型情報処理装置１００を示す識別子を記憶している。例えば、管理ＩＤテーブル６００又は通知情報６５０を記憶している。図６は、管理ＩＤテーブル６００、通知情報６５０のデータ構造例を示す説明図である。図６（ａ）は、管理ＩＤテーブル６００のデータ構造例を示す説明図である。管理ＩＤテーブル６００は、管理ＩＤ欄６１０、有効フラグ欄６２０を有している。管理ＩＤ欄６１０は、本実施の形態において、タグ型情報処理装置１００を一意に識別するための情報（管理ＩＤ：ＩＤｅｎｔｉｆｉｃａｔｉｏｎ）を記憶している。なお、この管理ＩＤは、タグ型情報処理装置１００を貼り付けるべき対象物を一意に識別するための情報であってもよい。有効フラグ欄６２０は、その管理ＩＤが有効であるか否か（又は無効であるか否か）を示す有効フラグを記憶している。
図６（ｂ）は、通知情報６５０のデータ構造例を示す説明図である。通知情報６５０は、管理ＩＤ欄６６０、検知結果欄６７０を有している。管理ＩＤ欄６６０は、管理ＩＤを記憶している。検知結果欄６７０は、貼り付け状態検知モジュール１１０による検知結果を記憶している。
記憶制御モジュール１３０は、記憶モジュール１２０、制御モジュール１４０と接続されている。記憶制御モジュール１３０は、制御モジュール１４０の制御にしたがって、記憶モジュール１２０内の情報の読み書き（初期化を含む）を行う。
【００３１】
制御モジュール１４０は、貼り付け状態検知モジュール１１０、記憶制御モジュール１３０、通信モジュール１５０と接続されている。制御モジュール１４０は、タグ型情報処理装置１００が対象物に貼り付けられていない場合は、タグ型情報処理装置１００を示す識別子とともに貼り付けられていないことを示す情報を送信するように通信モジュール１５０を制御する。
また、制御モジュール１４０は、タグ型情報処理装置１００が対象物に貼り付けられている場合は、タグ型情報処理装置１００を示す識別子とともに貼り付けられていることを示す情報を送信するようにしてもよい。
また、制御モジュール１４０は、通信モジュール１５０によって初期化指示が受け付けられた場合は、タグ型情報処理装置１００内に記憶されている情報（記憶モジュール１２０内の情報）を初期化するように記憶制御モジュール１３０を制御してもよい。この初期化には、対象物を管理するための機能を有していない状態にするものであればよい。例えば、対象物を管理するための機能を有していないことを示す情報を記憶すること、記憶モジュール１２０内の情報（例えば、タグ型情報処理装置１００を示す識別子等）を消去すること等がある。
通信モジュール１５０は、制御モジュール１４０と接続されている。通信モジュール１５０は、制御モジュール１４０の制御にしたがって、タグ型情報処理装置１００の外部にある情報処理装置と通信を行う。ここでの通信は、一般的には、近距離無線通信を利用する。また、通信モジュール１５０は、タグ型情報処理装置１００の外部にある情報処理装置から初期化指示を受信するようにしてもよい。
【００３２】
図２は、本実施の形態の構成例についての概念的なモジュール構成図である。
情報処理装置２００は、通信モジュール２１０、タグ情報記憶モジュール２２０、記憶制御モジュール２３０、タグ管理モジュール２４０、受付モジュール２５０、提示モジュール２６０を有している。
通信モジュール２１０は、タグ管理モジュール２４０と接続されている。通信モジュール２１０は、タグ型情報処理装置１００の通信モジュール１５０と通信を行う。ここでの通信は、一般的には、近距離無線通信を利用する。
【００３３】
タグ情報記憶モジュール２２０は、記憶制御モジュール２３０と接続されている。タグ情報記憶モジュール２２０は、タグ型情報処理装置１００を管理するための情報を記憶している。例えば、タグ管理テーブル７００を記憶している。図７は、タグ管理テーブル７００のデータ構造例を示す説明図である。タグ管理テーブル７００は、管理ＩＤ欄７０５、作成日時欄７１０、期限欄７１５、貼り付け設備欄７２０、貼り付け日時欄７２５、担当者欄７３０、検知日時欄７３５、検知結果欄７４０、対応処理内容欄７４５等を有している。管理ＩＤ欄７０５は、各タグ型情報処理装置１００の管理ＩＤを記憶している。作成日時欄７１０は、そのタグ型情報処理装置１００の作成日時を記憶している。期限欄７１５は、そのタグ型情報処理装置１００の期限を記憶している。貼り付け設備欄７２０は、そのタグ型情報処理装置１００の貼り付けすべき（又は貼り付けられた）設備を記憶している。貼り付け日時欄７２５は、そのタグ型情報処理装置１００が貼り付けられた日時（年、月、日、時、分、秒、秒以下、又はこれらの組み合わせであってもよい）を記憶している。担当者欄７３０は、そのタグ型情報処理装置１００（又はタグ型情報処理装置１００が貼り付けられた設備）の担当者を記憶している。検知日時欄７３５は、そのタグ型情報処理装置１００を検知した日時を記憶している。検知結果欄７４０は、その検知の結果（貼り付けられているか否か、初期化されているか否か等）を記憶している。対応処理内容欄７４５は、そのタグ型情報処理装置１００に対しての対応処理内容（貼り付け指示、剥離指示、初期化指示等）を記憶している。なお、検知日時欄７３５、検知結果欄７４０、対応処理内容欄７４５の組み合わせは、タグ型情報処理装置１００を検知した（又はタグ型情報処理装置１００と通信した）回数分だけある。
記憶制御モジュール２３０は、タグ情報記憶モジュール２２０、タグ管理モジュール２４０と接続されている。記憶制御モジュール２３０は、タグ管理モジュール２４０の制御にしたがって、タグ情報記憶モジュール２２０内の情報の読み書きを行う。
【００３４】
タグ管理モジュール２４０は、通信モジュール２１０、記憶制御モジュール２３０、受付モジュール２５０、提示モジュール２６０と接続されている。タグ管理モジュール２４０は、タグ型情報処理装置１００から対象物に貼り付けられていることを示す情報を通信モジュール２１０が受け付けた場合は、タグ型情報処理装置１００を示す識別子に対応する期限情報を抽出する。そして、期限情報が示す期限が既に過ぎている場合は、提示モジュール２６０に対して警告を出力するように制御する。また、タグ型情報処理装置１００が初期化されている場合は、そのタグ型情報処理装置１００は無効であることを示す情報を提示するようにしてもよい。「無効であることを示す情報」として、無効であるがために行うべき行動、例えば、タグ型情報処理装置１００を対象物から剥離することの指示を含めてもよい。
また、タグ管理モジュール２４０は、１つの対象物に対して、複数のタグ型情報処理装置１００から貼り付けられていることを示す情報を通信モジュール２１０が受け付けた場合は、それらの各タグ型情報処理装置１００を示す識別子に対応する作成日時情報を抽出し、他方の作成日時よりも古い作成日時情報であるタグ型情報処理装置１００に初期化指示を送信するように通信モジュール２１０を制御してもよい。それによって、作成日時が最も新しいタグ型情報処理装置１００を残して、他のタグ型情報処理装置１００を初期化することができる。
また、タグ管理モジュール２４０は、タグ型情報処理装置１００から対象物に貼り付けられていることを示す情報を通信モジュール２１０が受け付けた場合であって、そのタグ型情報処理装置１００が過去に対象物から剥離されたことがあるときは、そのタグ型情報処理装置１００に初期化指示を送信するように通信モジュール２１０を制御してもよい。また、タグ型情報処理装置１００から「対象物に貼り付けされた後に剥がされた状態」であることを示す情報を受け付けた場合は、そのタグ型情報処理装置１００に初期化指示を送信するように通信モジュール２１０を制御してもよい。
【００３５】
受付モジュール２５０は、タグ管理モジュール２４０と接続されている。受付モジュール２５０は、マウス、キーボード、タッチパネル、マイクによる音声、カメラ等による視線、ジェスチャ等を用いたユーザーの操作を受け付ける。タグ型情報処理装置１００との通信開始、タグ型情報処理装置１００の管理等の指示を受け付ける。
提示モジュール２６０は、タグ管理モジュール２４０と接続されている。提示モジュール２６０は、タグ管理モジュール２４０の制御にしたがって、警告等の提示を行う。なお、「提示」には、ディスプレイ等の表示装置への表示の他に、プリンタ等の印刷装置での印刷、スピーカー等の音声出力装置への音声の出力、振動等があり、それらの組み合わせであってもよい。
タグ型情報処理装置１００と情報処理装置２００によって、タグ型情報処理装置１００が実際に対象物に貼り付けされているか、又は更新期限が過ぎたまま貼り付けされていないか、など適切にラベルが貼り付けされているか否かを管理することができる。また、タグ型情報処理装置１００が対象物から剥離されて、別の対象物に貼り付けされるなどの不正を検出することもできる。
【００３６】
図３は、本実施の形態を利用したシステム構成例を示す説明図である。
図３（ａ）の例は、タグ型情報処理装置１００が設備３２０に貼り付けされる前の状態であり、そのタグ型情報処理装置１００と情報処理装置２００によって構成されていることを示している。タグ型情報処理装置１００は、初期の状態として、シート３１０に貼り付けされている。タグ型情報処理装置１００と情報処理装置２００は、無線通信によって接続されている。例えば、情報処理装置２００は、タグ型情報処理装置１００の枚数、管理ＩＤ等を管理する。
図３（ｂ）の例は、タグ型情報処理装置１００が設備３２０に貼り付けされた状態であり、そのタグ型情報処理装置１００と情報処理装置２００によって構成されていることを示している。タグ型情報処理装置１００は、設備３２０に貼り付けされている。タグ型情報処理装置１００と情報処理装置２００は、無線通信によって接続されている。例えば、情報処理装置２００は、タグ型情報処理装置１００から貼り付けられていることを示す情報を受信し、期限内であるか否かを判断するようにしてもよい。
図３（ｃ）の例は、タグ型情報処理装置１００が設備３２０に貼り付けされた状態であり、そのタグ型情報処理装置１００と情報処理装置２００と管理者用端末３３０によって構成されていることを示している。情報処理装置２００は、設備３２０にタグ型情報処理装置１００を貼り付けること等を行う担当者によって用いられ、管理者用端末３３０は、設備３２０の設備等を管理する管理者によって用いられるものであって、例えば、携帯端末であってもよい。
タグ型情報処理装置１００は、設備３２０に貼り付けられている。タグ型情報処理装置１００と情報処理装置２００は、無線通信によって接続されている。情報処理装置２００と管理者用端末３３０は通信回線を介して接続されている。情報処理装置２００と管理者用端末３３０間の通信は、無線、有線、これらの組み合わせであってもよく、例えば、通信インフラとしてのインターネット、イントラネット等であってもよい。また、管理者用端末３３０による機能は、クラウドサービスとして実現してもよい。
【００３７】
図３（ｄ）の例は、画像処理装置３４０が情報処理装置２００を有しており、管理者用端末３３０への中継装置としての機能を有している構成を示している。
タグ型情報処理装置１００は、設備３２０に貼り付けられている。画像処理装置３４０は、情報処理装置２００を有している。タグ型情報処理装置１００と情報処理装置２００は、無線通信によって接続されている。情報処理装置２００と管理者用端末３３０ａ、管理者用端末３３０ｂ、管理者用端末３３０ｃは通信回線を介して接続されている。
また、画像処理装置３４０は、タグ型情報処理装置１００からそのタグ型情報処理装置１００を一意に識別するための情報を取得し、タグ型情報処理装置１００の表面に取得した情報の内容を示す印刷を行うようにしてもよい。例えば、複数のタグ型情報処理装置１００がシートロール状又は硬質プレート上に形成されており、各タグ型情報処理装置１００毎に、その管理ＩＤ、対象物の名称（品名等）、購入日、期限、管理部門等を情報処理装置２００又は管理者用端末３３０から抽出して、それらの情報を印刷するようにしてもよい。
図３（ｅ）の例は、画像処理装置３４０は、情報処理装置２００を有しており、タグ型情報処理装置１００が貼り付けられている。対象物そのものが画像処理装置３４０である場合を示している。情報処理装置２００は、管理者用端末３３０ａ、管理者用端末３３０ｂ、管理者用端末３３０ｃと通信回線を介して接続されている。さらに、情報処理装置２００は、他の設備３２０に貼り付けされているタグ型情報処理装置１００との通信を行うようにしてもよい。
【００３８】
図４は、本実施の形態（タグ型情報処理装置１００）による処理例を示すフローチャートである。
ステップＳ４０２では、貼り付け状態検知モジュール１１０は、タグ型情報処理装置１００が設備３２０に貼り付けされている状態か否かを判断し、貼り付け状態の場合はステップＳ４０４へ進み、それ以外の場合はステップＳ４０６へ進む。
ステップＳ４０４では、制御モジュール１４０は、管理ＩＤとともに貼り付け状態であることを情報処理装置２００に通知する。
ステップＳ４０６では、制御モジュール１４０は、管理ＩＤとともに未だ貼り付けされていないことを情報処理装置２００に通知する。
【００３９】
図５は、本実施の形態（情報処理装置２００）による処理例を示すフローチャートである。
ステップＳ５０２では、通信モジュール２１０は、タグ型情報処理装置１００から受信したか否かを判断し、受信した場合はステップＳ５０４へ進み、それ以外の場合は受信するまで待機する。
ステップＳ５０４では、タグ管理モジュール２４０は、その受信内容からタグ型情報処理装置１００が貼り付け状態か否かを判断し、貼り付け状態の場合はステップＳ５０６へ進み、それ以外の場合はステップＳ５１２へ進む。
ステップＳ５０６では、タグ管理モジュール２４０は、受信した管理ＩＤを用いて期限情報を抽出する。
ステップＳ５０８では、タグ管理モジュール２４０は、期限切れであるか否かを判断し、期限切れの場合はステップＳ５１０へ進み、それ以外の場合は処理を終了する（ステップＳ５９９）。
ステップＳ５１０では、提示モジュール２６０は、警告情報（そのタグ型情報処理装置１００は期限が過ぎている旨）を提示する。
ステップＳ５１２では、提示モジュール２６０は、警告情報（貼り付けすべき旨）を提示する。
【００４０】
図８は、本実施の形態による処理例を示す説明図である。図８の例は、図４、図５の例に示すフローチャートにしたがうものである。
まず、タグ型情報処理装置１００は、タグ型情報処理装置１００の接着面にシートがあること（対象物である画像処理装置３４０に貼り付けられていないこと）を検知し、その旨をタグ型情報処理装置１００の管理ＩＤとともに情報処理装置２００に送信する。
情報処理装置２００では、タグ型情報処理装置１００が未だ貼り付けられていないので、タグ型情報処理装置１００を画像処理装置３４０に貼り付けることの指示を担当者８２０（具体的には、担当者８２０が有している管理者用端末３３０）に通知する。
担当者８２０は、その指示にしたがってタグ型情報処理装置１００を画像処理装置３４０に貼り付ける。
【００４１】
図９は、本実施の形態（情報処理装置２００）による処理例を示すフローチャートである。
ステップＳ９０２では、通信モジュール２１０は、タグ型情報処理装置１００から受信したか否かを判断し、受信した場合はステップＳ９０４へ進み、それ以外の場合は受信するまで待機する。ステップＳ９０２でのタグ型情報処理装置１００には、画像処理装置３４０に貼り付けられたタグ型情報処理装置１００、未だ貼り付けられていないタグ型情報処理装置１００の両方があり得る。
ステップＳ９０４では、タグ管理モジュール２４０は、複数のタグ型情報処理装置１００から受信したか否かを判断し、複数のタグ型情報処理装置１００から受信した場合はステップＳ９０６へ進み、それ以外の場合は処理を終了する（ステップＳ９９９）。
ステップＳ９０６では、タグ管理モジュール２４０は、管理ＩＤは同じであるか否かを判断し、同じ場合はステップＳ９０８へ進み、それ以外の場合は処理を終了する（ステップＳ９９９）。
ステップＳ９０８では、タグ管理モジュール２４０は、各タグ型情報処理装置１００の作成日時を抽出する。
ステップＳ９１０では、タグ管理モジュール２４０は、古いタグ型情報処理装置１００（最新のタグ型情報処理装置１００以外）に初期化指示を通知する。
また、各タグ型情報処理装置１００の管理ＩＤが異なる場合（つまり、同じ設備に対しては同じ管理ＩＤのタグ型情報処理装置１００を用いることをしない場合）、ステップＳ９０６の判断処理を行わずに、ステップＳ９０４におけるＹｅｓの判断の場合は、ステップＳ９０８の処理を行うようにしてもよい。
【００４２】
図１０は、本実施の形態（タグ型情報処理装置１００）による処理例を示すフローチャートである。
ステップＳ１００２では、通信モジュール１５０は、情報処理装置２００から受信したか否かを判断し、受信した場合はステップＳ１００４へ進み、それ以外の場合は受信するまで待機する。
ステップＳ１００４では、制御モジュール１４０は、受信した内容は初期化指示か否かを判断し、初期化指示の場合はステップＳ１００６へ進み、それ以外の場合は処理を終了する（ステップＳ１０９９）。
ステップＳ１００６では、制御モジュール１４０は、記憶モジュール１２０内の有効フラグを初期化（無効化）する。
【００４３】
図１１は、本実施の形態による処理例を示す説明図である。図１１の例は、図９、図１０の例に示すフローチャートにしたがうものである。
管理者用端末３３０は、画像処理装置３４０に貼り付けられたタグ型情報処理装置１００ａを検知し、タグ型情報処理装置１００ａの期限が過ぎていることを検知する。
担当者８２０は、新しいタグ型情報処理装置１００ｂを用意し、画像処理装置３４０に貼り付ける。その場合、管理者用端末３３０は、既に画像処理装置３４０に貼り付けられているタグ型情報処理装置１００ａを検知し、初期化指示を古いタグ型情報処理装置１００ａに対して行う。なお、タグ型情報処理装置１００ｂは、画像処理装置３４０に貼り付けられた状態であってもよいし、未だ貼り付けられていない状態であってもよい。近距離通信によって、管理者用端末３３０は、タグ型情報処理装置１００ａとタグ型情報処理装置１００ｂを検知できればよい。また、初期化の指示を行うのに、管理ＩＤが同じタグ型情報処理装置１００であることを条件としてもよい。
【００４４】
図１２は、本実施の形態（情報処理装置２００）による処理例を示すフローチャートである。
ステップＳ１２０２では、通信モジュール２１０は、タグ型情報処理装置１００から受信したか否かを判断し、受信した場合はステップＳ１２０４へ進み、それ以外の場合は受信するまで待機する。
ステップＳ１２０４では、タグ管理モジュール２４０は、そのタグ型情報処理装置１００は、設備３２０から剥離された状態か否かを判断し、剥離された状態の場合はステップＳ１２０６へ進み、それ以外の場合は処理を終了する（ステップＳ１２９９）。
ステップＳ１２０６では、タグ管理モジュール２４０は、そのタグ型情報処理装置１００に初期化指示を通知する。
ステップＳ１２０８では、タグ管理モジュール２４０は、貼り付け状態の解除を管理する。
ステップＳ１２１０では、提示モジュール２６０は、新しいタグ型情報処理装置１００を貼り付けするよう警告情報を提示する。
【００４５】
図１３は、本実施の形態による処理例を示す説明図である。図１３の例は、図１２、図１０の例に示すフローチャートにしたがうものである。
管理者用端末３３０は、画像処理装置３４０に貼り付けられていたタグ型情報処理装置１００ｘを検知し、タグ型情報処理装置１００ｘは画像処理装置３４０から剥離されていることを検知する。つまり、タグ型情報処理装置１００ｘの粘着面のシールが剥がされた後であって、画像処理装置３４０に貼り付けられていないことを検知する。そして、管理者用端末３３０は、タグ型情報処理装置１００ｘに対して初期化指示を送信し、タグ型情報処理装置１００ｘは、図１０の例に示したフローチャートにしたがって初期化を行う。
【００４６】
図１４は、タグ型情報処理装置１４００の印刷例を示す説明図である。
タグ型情報処理装置１４００の表面には、情報画像１４１０、管理ＩＤ欄１４２０、作成日時欄１４３０、期限欄１４４０が印刷されている。
情報画像１４１０は、管理ＩＤ欄１４２０等の情報を示したものである。なお、情報画像とは、機械可読な態様で電子データを表すために体系的に作られた画像コードをいい、具体的には、１次元バーコード、２次元コード等がある。２次元コードとして、ＱＲコード（登録商標：Ｑｕｉｃｋ  Ｒｅｓｐｏｎｓｅ  ｃｏｄｅ）を用いてもよい。
管理ＩＤ欄１４２０には、画像処理装置３４０がタグ型情報処理装置１００との通信を行い、受信した管理ＩＤを印刷する。
作成日時欄１４３０には、画像処理装置３４０がタグ型情報処理装置１００の作成された日時（例えば、印刷日時であってもよい）を印刷する。
期限欄１４４０には、画像処理装置３４０がタグ型情報処理装置１００から取得した管理ＩＤを検索キーとし、情報処理装置２００との通信を行って、情報処理装置２００から取得した期限を印刷する。
【００４７】
図１５を参照して、本実施の形態の情報処理装置（情報処理装置２００、管理者用端末３３０、画像処理装置３４０）のハードウェア構成例について説明する。なお、タグ型情報処理装置１００のハードウェア構成例として、特許文献２に記載のもの等がある。図１５に示す構成は、例えばパーソナルコンピュータ（ＰＣ）等によって構成されるものであり、スキャナ等のデータ読み取り部１５１７と、プリンタ等のデータ出力部１５１８を備えたハードウェア構成例を示している。
【００４８】
ＣＰＵ（Ｃｅｎｔｒａｌ  Ｐｒｏｃｅｓｓｉｎｇ  Ｕｎｉｔ）１５０１は、前述の実施の形態において説明した各種のモジュール、すなわち、通信モジュール２１０、記憶制御モジュール２３０、タグ管理モジュール２４０、受付モジュール２５０、提示モジュール２６０等の各モジュールの実行シーケンスを記述したコンピュータ・プログラムにしたがった処理を実行する制御部である。
【００４９】
ＲＯＭ（Ｒｅａｄ  Ｏｎｌｙ  Ｍｅｍｏｒｙ）１５０２は、ＣＰＵ１５０１が使用するプログラムや演算パラメータ等を格納する。ＲＡＭ（Ｒａｎｄｏｍ  Ａｃｃｅｓｓ  Ｍｅｍｏｒｙ）１５０３は、ＣＰＵ１５０１の実行において使用するプログラムや、その実行において適宜変化するパラメータ等を格納する。これらはＣＰＵバス等から構成されるホストバス１５０４により相互に接続されている。
【００５０】
ホストバス１５０４は、ブリッジ１５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１５０６に接続されている。
【００５１】
キーボード１５０８、マウス等のポインティングデバイス１５０９は、操作者により操作されるデバイスである。ディスプレイ１５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１５０９とディスプレイ１５１０の両方の機能を備えているタッチスクリーン等であってもよい。
【００５２】
ＨＤＤ（Ｈａｒｄ  Ｄｉｓｋ  Ｄｒｉｖｅ）１５１１は、ハードディスク（フラッシュメモリ等であってもよい）を内蔵し、ハードディスクを駆動し、ＣＰＵ１５０１によって実行するプログラムや情報を記録又は再生させる。ハードディスクは、タグ情報記憶モジュール２２０等としての機能を実現させる。さらに、その他の各種データ、各種コンピュータ・プログラム等が格納される。
【００５３】
ドライブ１５１２は、装着されている磁気ディスク、光ディスク、光磁気ディスク、又は半導体メモリ等のリムーバブル記録媒体１５１３に記録されているデータ又はプログラムを読み出して、そのデータ又はプログラムを、インタフェース１５０７、外部バス１５０６、ブリッジ１５０５、及びホストバス１５０４を介して接続されているＲＡＭ１５０３に供給する。なお、リムーバブル記録媒体１５１３も、データ記録領域として利用可能である。
【００５４】
接続ポート１５１４は、外部接続機器１５１５を接続するポートであり、ＵＳＢ、ＩＥＥＥ１３９４等の接続部を持つ。接続ポート１５１４は、インタフェース１５０７、及び外部バス１５０６、ブリッジ１５０５、ホストバス１５０４等を介してＣＰＵ１５０１等に接続されている。通信部１５１６は、通信回線に接続され、外部とのデータ通信処理を実行する。データ読み取り部１５１７は、例えばスキャナであり、ドキュメントの読み取り処理を実行する。データ出力部１５１８は、例えばプリンタであり、ドキュメントデータの出力処理を実行する。
【００５５】
なお、図１５に示す情報処理装置のハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００５６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５７】
１００…タグ型情報処理装置
１１０…貼り付け状態検知モジュール
１２０…記憶モジュール
１３０…記憶制御モジュール
１４０…制御モジュール
１５０…通信モジュール
２００…情報処理装置
２１０…通信モジュール
２２０…タグ情報記憶モジュール
２３０…記憶制御モジュール
２４０…タグ管理モジュール
２５０…受付モジュール
２６０…提示モジュール
【図１】
2017111594.tif 000003
【図２】
2017111594.tif 000004
【図３】
2017111594.tif 000005
【図４】
2017111594.tif 000006
【図５】
2017111594.tif 000007
【図６】
2017111594.tif 000008
【図７】
2017111594.tif 000009
【図８】
2017111594.tif 000010
【図９】
2017111594.tif 000011
【図１０】
2017111594.tif 000012
【図１１】
2017111594.tif 000013
【図１２】
2017111594.tif 000014
【図１３】
2017111594.tif 000015
【図１４】
2017111594.tif 000016
【図１５】
2017111594.tif 000017